(57)【要約】【課題】本発明は、ｍｉｎｉＵＳＢ−Ｂコネクタを入力として、携帯電話機のコネクタタイプＦＯＭＡ、ＣＤＭＡ、ＤＩＧＩＴＡＬへ接続する事が可能な、携帯電話機の充電専用一体型ｍｉｎｉＵＳＢ変換アダブタを提供する。【解決手段】携帯電話機の充電専用一体型ｍｉｎｉＵＳＢ変換アダブタは、図１による構成とし、構造としては図２に示す形状とする。本発明は充電用の電源入力としてｍｉｎｉＵＳＢ−Ｂメスコネクタ入力部と、携帯電話機のコネクタタイプＦＯＭＡ、ＣＤＭＡ、ＤＩＧＩＴＡＬへ各々接続する事が可能な出力部とで携帯電話機の充電専用ｍｉｎｉＵＳＢ変換アダブタを構成する。また、携帯電話機の充電専用ｍｉｎｉＵＳＢ変換アダブタの構造も入力部及び出力部を一体化し、出張又は旅行時の携帯に適した小型形状とする事により、実用的で廉価な変換アダブタを提供する。【選択図】図１
2007194180.tif 000002
【特許請求の範囲】
【請求項１】
本発明は充電用の電源入力としてｍｉｎｉＵＳＢ−Ｂメスコネクタ入力部と、携帯電話機のコネクタタイプＦＯＭＡ、ＣＤＭＡ、ＤＩＧＩＴＡＬへ各々接続する事が可能な出力部とを一体化したことからなることを特徴とする携帯電話機の充電専用一体型ｍｉｎｉＵＳＢ変換アダブタ。
【請求項２】
従来の携帯電話機の充電を行う場合のケーブルと変換コネクタは携帯電話機の機種毎になっており、各々の携帯電話機のコネクタタイプＦＯＭＡ、ＣＤＭＡ、ＤＩＧＩＴＡＬへ各々差し替える必要があったが、一個の変換アダブタで３機種に対応出来る請求項１に記載のｍｉｎｉＵＳＢ変換アダブタ。
【請求項３】
携帯電話機及びデジタルオーディオ機器、デジタルカメラ等においても電源入力コネクタにｍｉｎｉＵＳＢ−Ｂコネクタを搭載している製品が増加している為、外出時にｍｉｎｉＵＳＢ−Ｂコネクタ出力付のＡＣアダブタと、本ｍｉｎｉＵＳＢ変換アダブタを携帯しておけば嵩張らず充電器の汎用性にも繋がる請求項１に記載のｍｉｎｉＵＳＢ変換アダブタ。
【請求項４】
携帯電話機の充電専用ｍｉｎｉＵＳＢ変換アダブタの構造を入力部及び出力部を一体化したことにより、出張又は旅行時の携帯に適した小型形状となり、実用的で廉価な請求項１に記載のｍｉｎｉＵＳＢ変換アダブタ。
【発明の詳細な説明】
【技術分野】
【０００１】  本発明は、ｍｉｎｉＵＳＢ−Ｂコネクタを入力として、各種携帯電話機へ接続する事が可能な充電専用のｍｉｎｉＵＳＢ変換アダブタに関する。
【背景技術】
【０００２】  携帯電話機を充電する場合の手段として、専用のＡＣアダブタを使用するか、又はパソコン及び車載のシガーソケットなどのＵＳＢコネクタ出力を利用し、各種携帯電話機へ接続可能なケーブルと変換コネクタを使用するか、又は乾電池式簡易充電器により充電する方法が実用化されている。
但し、市販されている携帯電話機へ接続可能なケーブルと変換コネクタは機種毎に個々の専用のコネクタで構成されている。
また携帯電話機及びデジタルオーディオ機器、デジタルカメラ等においても電源入力コネクタにｍｉｎｉＵＳＢ−Ｂコネクタを搭載している製品が増加している。
【発明の開示】
【発明が解決しようとする課題】
【０００３】  従来、携帯電話機の充電を行う場合のケーブルと変換コネクタは機種毎に個々の専用コネクタとなっており、各々の携帯電話機のコネクタタイプＦＯＭＡ、ＣＤＭＡ、ＤＩＧＩＴＡＬコネクタに差し替える必要があり、一個の変換コネクタで各機種に対応できないという欠点があった。
また携帯電話機及びデジタルオーディオ機器、デジタルカメラ等においても電源入力コネクタにｍｉｎｉＵＳＢ−Ｂコネクタを搭載している製品が増加している為、各々の充電に必要なＡＣアダブタ及びケーブルと変換コネクタ等、充電器の種類が多くなり充電器の互換性もないという欠点があった。
また出張、旅行時に全ての充電器を持ち歩くには実用的でなく嵩張るという欠点があった。【０００４】  本発明は、以上のような欠点を鑑みｍｉｎｉＵＳＢ−Ｂコネクタを入力として、携帯電話機のコネクタタイプＦＯＭＡ、ＣＤＭＡ、ＤＩＧＩＴＡＬへ接続する事が可能な、携帯電話機の充電専用一体型ｍｉｎｉＵＳＢ変換アダブタを提供することを目的とする。
【課題を解決するための手段】
【０００５】  上記目的を達成するために、本発明は充電用の電源入力としてｍｉｎｉＵＳＢ−Ｂメスコネクタ入力部と、携帯電話機のコネクタタイプＦＯＭＡ、ＣＤＭＡ、ＤＩＧＩＴＡＬへ各々接続する事が可能な出力部とで携帯電話機の充電専用ｍｉｎｉＵＳＢ変換アダブタを構成する。
また、携帯電話機の充電専用ｍｉｎｉＵＳＢ変換アダブタの構造も入力部及び出力部を一体化し、出張又は旅行時の携帯に適した小型形状とする事により、実用的で廉価な変換アダブタを提供する。
【発明の効果】
【０００６】  上述したように本発明の充電専用ｍｉｎｉＵＳＢ変換アダブタは、携帯電話機のコネクタタイプＦＯＭＡ、ＣＤＭＡ、ＤＩＧＩＴＡＬの３種類を一体化し、且つ小型の構造にすることにより実用性を追求した結果、下記に説明する効果が得られる。【０００７】  従来の携帯電話機の充電を行う場合のケーブルと変換コネクタは携帯電話機の機種毎になっており、各々の携帯電話機のコネクタタイプＦＯＭＡ、ＣＤＭＡ、ＤＩＧＩＴＡＬへ各々差し替える必要があったが、一個の変換アダブタで３機種に対応出来るという効果がある。【０００８】  携帯電話機及びデジタルオーディオ機器、デジタルカメラ等においても電源入力コネクタにｍｉｎｉＵＳＢ−Ｂコネクタを搭載している製品が増加している為、外出時にｍｉｎｉＵＳＢ−Ｂコネクタ出力付のＡＣアダブタ又はＵＳＢケーブルと、本ｍｉｎｉＵＳＢ変換アダブタを携帯しておけば、携帯電話機のコネクタタイプＦＯＭＡ、ＣＤＭＡ、ＤＩＧＩＴＡＬとｍｉｎｉＵＳＢ−Ｂコネクタを入力とする携帯型移動機器の充電も併用出来、充電器の汎用性にも繋がるという効果がある。【０００９】本ｍｉｎｉＵＳＢ変換アダブタを小型の構造にすることにより、出張、旅行時の携帯にも適した形状となり、実用的で廉価な変換アダブタを提供出来るという効果がある。【００１０】  ＵＳＢ出力機能を有するＡＣアダブタ又は車載のシガーソケット用ＤＣアダブタと、ｍｉｎｉＵＳＢ−Ｂコネクタ出力のＵＳＢ変換ケーブルと、本ｍｉｎｉＵＳＢ変換アダブタを組み合わせれば、国内外を問わず本変換アダブタが利用できるという効果がある。
【発明の実施するための最良の形態】
【００１１】  以下、本発明の実施の形態を図１〜図３に基づいて説明する。
【００１２】  図１は携帯電話機を本ｍｉｎｉＵＳＢ変換アダブタにより充電する場合の一実施の形態を示すブロック図であり、１はＵＳＢ出力機能を有するＡＣアダブタと２はｍｉｎｉＵＳＢ−Ｂコネクタ出力のＵＳＢ変換ケーブルと３は本ｍｉｎｉＵＳＢ変換アダブタ１３は携帯電話機とで構成されている。
【００１３】  ＡＣアダブタ１は、ＡＣ入力プラグ４とＡＣ／ＤＣコンバータ５とＵＳＢ出力コネクタ６とで構成されている。
【００１４】  ＵＳＢ変換ケーブル２は、ＵＳＢオスコネクタ７とｍｉｎｉＵＳＢ−Ｂオスコネクタ８とで構成されている。
【００１５】  ｍｉｎｉＵＳＢ変換アダブタ３は、充電用の電源入力としてｍｉｎｉＵＳＢ−Ｂメスコネクタ９と携帯電話機を充電するとき必要なコネクタタイプＦＯＭＡ１０とＣＤＭＡ１１とＤＩＧＩＴＡＬ１２とで構成されている。
【００１６】  図１の構成において、ｍｉｎｉＵＳＢ変換アダブタ３は、ｍｉｎｉＵＳＢ−Ｂメスコネクタ９と携帯電話機を充電するとき必要なコネクタタイプＦＯＭＡ１０とＣＤＭＡ１１とＤＩＧＩＴＡＬ１２とを図２に示す形態とし１筐体に収納される。
【００１７】  以下、上記構成の動作を説明する。
携帯電話機１３を本ｍｉｎｉＵＳＢ変換アダブタ３を利用し充電する場合、ＡＣ入力プラグ４をＡＣコンセントに差込み、ＵＳＢ変換ケーブル２のＵＳＢオスコネクタ７とＡＣアダブタ１のＵＳＢ出力コネクタ６を接続し、ＵＳＢ変換ケーブル２の出力ｍｉｎｉＵＳＢ−Ｂオスコネクタ８と本ｍｉｎｉＵＳＢ変換アダブタ３の入力ｍｉｎｉＵＳＢ−Ｂメスコネクタ９を接続する。
出力側は携帯電話機１３に対応するコネクタＦＯＭＡ１０を接続する。
ＡＣアダブタ１の出力は、携帯電話機１３を定電圧定電流制御により充電する機能を持っており出力電圧及び電流は、ＵＳＢ変換ケーブル２を介して本ｍｉｎｉＵＳＢ変換アダブタ３の入力となり、対応するコネクタＦＯＭＡ１０により携帯電話機１３を充電する。
【図面の簡単な説明】
【００１８】
【図１】本発明の一実施の形態を示すブロック図である。
【図２】本発明の一実施の形態を示すｍｉｎｉＵＳＢ変換アダブタの正面図である。
【図３】本発明の一実施の形態を示すｍｉｎｉＵＳＢ変換アダブタの側面図である。
【符号の説明】
【００１９】１  ＡＣアダブタ
２  ＵＳＢ変換ケーブル
３  ｍｉｎｉＵＳＢ変換アダブタ
４  ＡＣ入力プラグ
５  ＡＣ／ＤＣコンバータ
６  ＵＳＢ出力コネクタ
７  ＵＳＢオスコネクタ
８  ｍｉｎｉＵＳＢ−Ｂオスコネクタ
９  ｍｉｎｉＵＳＢ−Ｂメスコネクタ
１０  ＦＯＭＡコネクタ
１１  ＣＤＭＡコネクタ
１２  ＤＩＧＩＴＡＬコネクタ
１３  携帯電話機
【図１】
2007194180.tif 000003
【図２】
2007194180.tif 000004
【図３】
2007194180.tif 000005